(57)【特許請求の範囲】
【請求項１】
分析機器で用いる液体から溶在気体を脱気する分析用真空脱気装置に設置され、気体のみを通し前記液体の透過を阻止する透過膜の製造方法であって、
粒子状のプラスチック基材に不飽和炭化水素を含まない直鎖状パラフィン系物質の単一溶液からなる分散液を添加してペースト化したものを、押し出し焼成することで前記透過膜を製造することを特徴とする分析用真空脱気装置における透過膜の製造方法。
【請求項２】
前記プラスチック基材が、ポリテトラフルオロエチレンであることを特徴とした請求項1記載の分析用真空脱気装置における透過膜の製造方法。
【発明の詳細な説明】
【０００１】
【発明が属する技術分野】
本発明は、真空容器の内部に気体のみを通し液体の透過を阻止する透過膜を設置し、真空容器内を真空ポンプ等で減圧することにより上記透過膜と接触している液体（被脱気液体）からその溶存気体を当該透過膜を通して脱気するようにした真空脱気装置に関し、特に、液体クロマトグラフを含む各種理化学・分析機器や製薬，半導体，液晶等を含む各種の生産プロセス設備等において、液体（被脱気液体）から溶存気体を除去するのに適した分析用真空脱気装置における透過膜の製造方法に関するものである。
【０００２】
【従来の技術】
例えば、液体クロマトグラフ装置等の分析機器で分析を行なう場合に、測定データの信頼性を向上させる上でサンプル液や溶媒，緩衝液等から溶存気体を除去する（脱気する）が、その際に用いる脱気装置には上記サンプル液や溶媒，緩衝液等と接触する部分に、気体のみを通し液体の透過を阻止するフッ素系の透過膜が使用される。
【０００３】
この種の脱気装置に使用される透過膜は、通常、粉末状のフッ素系プラスチック基材にガソリン留分（ナフサ，ホワイトオイル等）を添加混合させてペースト化し、それを押し出し高温下（約１００℃〜４００℃）で焼成することにより製造される。
その際、上記ガソリン留分などの低沸点液体は、焼成中に蒸発し除去されることになっている。しかし乍ら、実際には、低沸点液体特に芳香族系物質及びオレフィン系物質は完全には蒸発せず、透過膜中に少量残留する。これら透過膜中に残留した物質は、透過膜に液体（被脱気液体）が接触した時に遊離して被脱気液体中に溶出し、液体クロマトグラフ装置などによる測定結果や各種生産プロセスでの品質維持管理に悪影響（測定誤差など）をもたらすことになる。
【０００４】
【発明が解決しようとする課題】
本発明は、この様な従来の不具合に鑑みてなされたものであり、分析機器等による測定結果や各種生産プロセスでの品質維持管理に悪影響をもたらす芳香族系物質及びオレフィン系物質が、透過膜に接触した液体（被脱気液体）中に溶出する恐れがない真空脱気装置を提供せんとするものである。
【０００５】
斯かる目的を達成する本発明は、液体クロマトグラフ等の分析機器で用いる液体から溶在気体を脱気する分析用真空脱気装置に設置され、気体のみを通し前記液体の透過を阻止する透過膜の製造方法であって、粒子状のプラスチック基材に不飽和炭化水素を含まない直鎖状パラフィン系物質の単一溶液からなる分散液を添加してペースト化したものを、押し出し焼成することで前記透過膜を製造することを特徴とする。
本発明の好ましい実施形態としては、前記プラスチック基材が、ポリテトラフルオロエチレンであることを特徴とする。
【０００６】
【実施の態様】
次に、本発明の好ましい実施態様について詳細に説明する。
図１中、符号１は真空容器を示し、符号２は真空容器１の内部に設置された気体のみを通し液体の透過を阻止するチューブ状の透過膜であり、符号３は真空容器１の内部を減圧するための真空ポンプを示す。
【０００７】
この図示実施例の場合、所要の長さを有するチューブ状に形成された透過膜２を用い、その1本ないし複数本を真空容器の内部に設置すると共に、チューブ状透過膜２の液入口２１と液出口２２をそれぞれ真空容器1の外部に臨ませ、真空容器１の内部を真空ポンプ３でもって減圧コントロールしながら被脱気液体をチューブ状透過膜２の液入口２１からチューブ状透過膜２内に流通させ、液出口２２から出てくる間に当該被脱気液体から溶存液体を脱気する仕組みになっている。
尚、図中の符号４は圧力センサーを示し、５は一定圧力で動作する逆止弁をそれぞれ示すが、必ずしもなくとも良く、これらの圧力センサー４や逆止弁５を設置すれば、真空容器１内部の圧力を精度良く適確にコントロールすることが容易となる。
【０００８】
本発明に係る透過膜２は、粒子状のプラスチック基材に分散液を添加混合してペースト化し、ペースト化されたプラスチック基材を押出し機でチューブ状またはフィルム状或いは膜状に押し出し成形して、高温下（約１００℃〜４００℃）で焼成することにより製造され、被脱気液体と接触するように真空容器１の内部に設置される。
尚、本明細書において、「粒子状」なる表現には、微粒子状態のものも含むものとする。
【０００９】
本発明に係る透過膜２を製造するのに適用可能なプラスチック基材としては、気体のみを通し液体の透過を阻止するフッ素系のプラスチック基材、具体的には、ポリテトラフルオロエチレン（ＰＴＦＥ）やフッ素化エチレンプロピレン（ＦＥＰ），エチレンテトラフルオロエチレン（ＥＴＦＥ）等のフッ素を含む重合体を挙げることができるが、本発明はこれらの重合体に限定されるものではない。
【００１０】
また、粒子状プラスチック基材に添加混合する分散液としては、揮発性が高く芳香族系物質及びオレフィン系物質を含まない単一溶液を用いる。具体的には、不飽和炭化水素を含まない直鎖状パラフィン系物質等の揮発性が高く芳香族系物質及びオレフィン系物質を含まない単一溶液を分散液として用いる。
【００１１】
【実施例】
プラスチック基材としてポリテトラフルオロエチレン（以下、ＰＴＦＥと略記する。）を用い、分散液として不飽和炭化水素を含まない直鎖状パラフィン系物質を用い、粒子状ＰＴＦＥに上記分散液を添加し混合して、ペースト状のＰＴＦＥを作成した。このペースト状ＰＴＦＥを押出し機でチューブ状に押し出し成形して焼成し、チューブ状の透過膜を得た。
上記得られたＰＴＦＥ製のチューブ状透過膜を、液体クロマトグラフ装置においてサンプル液や溶媒，緩衝液等から予め気体を除去する（脱気する）ための真空脱気装置に組込み、勾配溶離液体クロマトグラフ法により検出した。ちなみに、勾配溶離液体クロマトグラフ法では、クロマトグラフ操作中に移動相（溶媒）の濃度が連続的に変化し、移動相中に遊離した汚染物質は分離カラム内の勾配溶離中に濃縮されて、勾配中の対応する溶離剤の比率で溶出する。従って、例えば紫外線吸収のある芳香族系物質が検出器（紫外線吸収検出器）に入ると、測定に干渉する。
【００１２】
図２は、勾配溶離液体クロマトグラフ法で検出したクロマトグラムを示し、▲１▼は従来品のＰＴＦＥ製チューブ状透過膜を組込んだ液体クロマトグラフから得られたものであり、▲２▼は上記実施例により製造されたＰＴＦＥ製のチューブ状透過膜を組込んだ液体クロマトグラフから得られたものである。尚、検出には、アセトニトリル−水混合物を用い、検出器として波長２１０ｎｍの紫外線吸収検出器を使用した。
【００１３】
この図２より明らかなとおり、従来品のＰＴＦＥ製チューブ状透過膜（▲１▼）では、液体クロマトグラフにおける測定結果に悪影響（誤り）をもたらす汚染が生じているのに対して、本発明の上記実施例により製造されたＰＴＦＥ製チューブ状透過膜（▲２▼）では、ほぼ平坦なベースラインを示し、サンプルの定量的測定に干渉がほとんど認められないことが理解される。
【００１４】
【発明の効果】
本発明に係る分析用真空脱気装置における透過膜の製造方法によれば、気体のみを通し液体の透過を阻止する透過膜を、粒子状プラスチック基材に揮発性が高く芳香族系物質及びオレフィン系物質を含まない単一溶液からなる分散液を添加してペースト化したものを押し出し焼成して形成したので、被脱気液体と接触する透過膜に芳香族系物質及びオレフィン系物質が元より存在せず、従って、この透過膜に被脱気液体が接触した時に芳香族系物質及びオレフィン系物質が遊離して被脱気液体中に溶出する恐れが全くなくなる。その結果、液体クロマトグラフ装置等による測定結果や各種生産プロセスでの品質維持管理に悪影響（測定誤差など）をもたらす恐れが全くなくなる。
【図面の簡単な説明】
【図１】  本発明実施の一例を示す模式図。
【図２】  勾配溶離液体クロマトグラフ法で検出したクロマトグラム。
【符号の説明】
１：真空容器                ２：透過膜
３：真空ポンプ
【図１】
0003996278.tif 000002
【図２】
0003996278.tif 000003